(57)【要約】      （修正有）【課題】携帯や設置が容易で、かつパットの距離感や打ち出しの方向を自由に設定でき、さらに、視覚的にも心地よい快感を得ることができるパッティング練習具を提供する。【解決手段】本パッティング練習具１は、パットしたボールが当たる標的部２と、標的部２の下部に装着される底面体３とを具備する。また、底面体３は、標的部２よりも比重の重い部材にて形成されていることが好ましい。また、底面体３に地中に埋設する突起部を形成してもよい。さらに、標的部２を透明部材で形成するとともに、標的部２内に、外部から視認可能な収納部材を収容することもできる。【選択図】図１
0003165628.tif 000002
【実用新案登録請求の範囲】
【請求項１】
ゴルフのパッティング練習の際に使用するパッティング練習具において、パットしたボールが当たる標的部と、標的部の下部に装着される底面体とを具備することを特徴とするパッティング練習具。
【請求項２】
前記底面体が、標的部よりも比重の重い部材にて形成されている請求項１記載のパッティング練習具。
【請求項３】
前記底面体が、地中に埋設される突起部が形成されている請求項１または２記載のパッティング練習具。
【請求項４】
前記標的部を透明部材で形成するとともに、前記標的部内に、外部から視認可能な収納部材を収容した請求項１ないし３のうちいずれか一項に記載のパッティング練習具。
【考案の詳細な説明】
【技術分野】
【０００１】
本考案は、ゴルフのパットを練習する際に使用されるパッティング練習具に関し、特には、携帯や設置が容易で、かつパットの距離や方向を自由に設定することができるパッティング練習具に関する。
【背景技術】
【０００２】
ゴルフのスコアーメイクにはパットを上達させるのが一番の近道である。パッティングは、打ち出しの角度や強弱、またボールの転がり具合が大きなポイントとなる。通常、ゴルフのパッティングを練習する際、実際のグリーンに設置されているホールと同径の模擬ホールを床面に置き、そのホールに向けてボールをパットする。
【０００３】
一般的なパッティングの練習具として、複雑で実戦的なパッティング練習が可能で、かつゴルフパットゲームとしても用いることができるゴルフパット台が知られている（例えば、特許文献１参照）。この特許文献１に記載されたゴルフパット台は、中央部から周辺部にかけて傾斜面によって形成された楕円状パット台本体にカップ穴が設けられている。
【０００４】
また、他の練習具として、カップインの精度を高めるためにカップイン幅を調整できるパッティング練習用カップも報告されている（例えば特許文献２参照）。この特許文献２に記載されたパッティング練習用カップは、適宜大きさの円板状ベース部の上面後方半円に筒状の後方周壁部を形成し、前記後方周壁部に基部を内装可能にして円形状に添って前方へ出没自在に組み込んだ前方周壁部を備えている。
【先行技術文献】
【特許文献】
【０００５】
【特許文献１】実開平５−６３５７３号公報（実用新案登録請求の範囲等）
【特許文献２】実用新案登録第３１４４０２５号公報（実用新案登録請求の範囲等）
【考案の概要】
【考案が解決しようとする課題】
【０００６】
しかしながら、従来より知られているパッティング練習用カップは必ずしも全てにおいて満足し得るというものではなかった。例えば、上掲特許文献１のゴルフパット台は、打ち出し角度の練習には効果があるが、カップ穴の周囲に傾斜面が形成されているため、パッティングの強度や微妙な転がり具合を実感することはできなかった。
【０００７】
また、上掲特許文献２のパッティング練習用カップにおいては、打ち出し角度、パッティングの強度、ボールの転がり具合を練習するには効果が得られるものの、思い通りパッティングを成功させた際、視覚的な快感を得ることはできなかった。また、起伏のある練習場でのパッティング練習に際し、横や後方向からカップインさせることができず、十分とはいえなかった。
【０００８】
そこで本考案の目的は、携帯や設置が容易で、かつパットの距離感や打ち出しの方向を自由に設定でき、さらに、視覚的にも心地よい快感を得ることができるパッティング練習具を提供することにある。
【課題を解決するための手段】
【０００９】
上記課題を解決するために、本考案のパッティング練習具は、ゴルフのパッティング練習の際に使用するパッティング練習具において、パットしたボールが当たる標的部と、標的部の下部に装着される底面体とを具備することを特徴とするものである。
【００１０】
本考案のパッティング練習具においては、前記底面体は、好ましくは標的部よりも比重の重い部材にて形成されている。
【００１１】
また、前記底面体には、地中に埋設する突起部を好適に形成することができる。
【００１２】
さらに、前記標的部を透明部材で形成するとともに、前記標的部内に、外部から視認可能な収納部材を収容することができる。
【考案の効果】
【００１３】
本考案のパッティング練習具によれば、携帯や設置が容易で、かつパットの距離感や打ち出しの方向を自由に設定でき、さらに、視覚的にも心地よい快感を得ることができるパッティング練習具を提供することができる。
【００１４】
また、標的部を透明部材で形成するとともに、前記標的部内に、外部から視認可能な収納部材を収容することで、パッティングを楽しく練習することができる。さらに、収納部材を広告媒体とすることで、ビジネス的効果を得ることも可能になる。
【図面の簡単な説明】
【００１５】
【図１】本考案のパッティング練習具の全体図である。
【図２】他の好適例を示すパッティング練習具の全体図である。
【図３】他の好適例を示すパッティング練習具の断面図である。
【図４】パッティング練習具にボールが当たった際の状態を示す説明図である。
【図５】本考案のパッティング練習具の使用状態を示す説明図である。
【考案を実施するための形態】
【００１６】
以下、本考案のパッティング練習具における実施の形態を図面に基づいて説明する。
【００１７】
図１に示すパッティング練習具１は、パットしたボールが当たる標的部２と、標的部２の下部に装着される底面体３とで構成されている。
【００１８】
標的部２は、加工が容易で量産が可能な汎用の合成樹脂等の素材からなる。また標的部２の形状は特に限定されるものではないが、視覚的に楽しいボウリングのピン形状等とすることが好ましい。さらに、標的部２は、パッティングされたゴルフボールが当たった際、直ちに倒れてしまうのではなく、グリーン上や地面上を摺動できる大きさや重量にて形成することが好ましい。
【００１９】
また、標的部２の下部には、底面体３が設置されている。図１に示す底面体３は、標的部２よりやや大径円板状に形成されている。このため、標的部２を任意の箇所に、容易に直立させることができる。なお、底面体３を、図示はしないが底面が湾曲した皿状に形成してもよい。
【００２０】
さらに、前記底面体３は、標的部２よりも比重の重い部材にて形成することが好ましい。比重の重い部材としては、金属や石材等の素材を挙げることができる。底面体３を金属や石材等の素材にて形成することで、床面への直立が容易になる。また、図４の（ａ）に示すように、パットしたゴルフボールＡが標的部２に当たった際、パッティング練習具１が直に倒れることなく左右に揺動しながらグリーン上や地面上を摺動する。この場合、思い通りパッティングを成功させた際、視覚的な快感を得ることができる。
【００２１】
また、他の好適例として、図２に示すように、底面体３に、地中に埋設する突起部４を形成してもよい。底面体３に突起部４を形成することで、パッティング練習具１を地面上に容易に固定することができる。この場合、図４の（ｂ）に示すように、パットしたゴルフボールＡが標的部２に当たっても、パッティング練習具１は移動することなく設置された状態を維持することができる。また、傾斜した位置にも容易に立設することが可能になる。
【００２２】
また、更に他の好適例として、図３に示すように、標的部２を透明部材で形成するとともに、標的部２内に、外部から視認可能な収納部材５を収容してもよい。標的部２を形成する透明部材としては、汎用の合成樹脂にて形成することが好ましい。また、標的部２内に収容される収納部材５は、樹脂、金属、石材、生物等からなる植物、果物、人体、動物、幾何学形状、球体、多角体、文字、数字等の様々なデザインにて形成することができる。
【００２３】
標的部２を透明部材で形成するとともに、標的部２内に、外部から視認可能な収納部材５を収容することにより、外観面や音響面においてパッティング練習をより一層楽しく行うことができるようになるとともに、商業的な広告媒体としても活用することができる。
【００２４】
次に、本考案のパッティング練習具の使用方法を図４および図５に基づいて説明する。
先ず、図５に示すように、地面上またはグリーン上の任意の箇所に本考案のパッティング練習具１を立設する。立設する箇所は、打ち出しの角度や強弱、またボールの転がり具合を収得するために、距離の異なる位置に複数設置するとよい。
【００２５】
図４の（ａ）においては、標的部２よりも比重の重い底面体３が装着されているパッティング練習具１にゴルフボールＡが当たった状態を示す。この場合、パッティング練習具１は、倒れることなく左右に揺動しながら地面上を摺動する。これにより、思い通りパッティングができたときは、視覚的な快感も得ることができる。なお、底面体３を、底面が湾曲した皿状に形成することで、標的部２をより大きく左右に揺動させることができる。
【００２６】
図４の（ｂ）においては、底面体３に、地中に埋設する突起部４を形成したパッティング練習具１にゴルフボールＡが当たった状態を示す。突起部４にて固定された標的部２にパットしたゴルフボールＡが当たると、パッティング練習具１は移動することなくゴルフボールＡだけが跳ね返される。この場合には、心地良い快音が発せられるとともに、ゴルフボールＡの跳ね返りの距離や角度により、打ち出しの角度や強度を確認することができる。
【００２７】
なお、本考案のパッティング練習具１は、実際のグリーンに設置されているホールより比較的小形に形成することで、ゴルフボールがパッティング練習具１に当たった場合、ゴルフボールはホールのほぼ中央を通過した状態となるので、より正確なパッティング技術を収得することができる。
【符号の説明】
【００２８】
１  パッティング練習具
２  標的部
３  底面体
４  突起部
５  収納部材
Ａ  ゴルフボール
【図１】
0003165628.tif 000003
【図２】
0003165628.tif 000004
【図３】
0003165628.tif 000005
【図４】
0003165628.tif 000006
【図５】
0003165628.tif 000007